(57)【要約】【課題】プリントや書類を綴じるバインタークリップ改良に関し、更に詳しくは、厚い書類を綴じる挟着力が強力になることでそれらの挟着部の開閉する操作力がおのづから強烈になるこれらのバインダークリップを弱い操作力で強力な挟着力の得られるバインタークリップにすること。【解決の手段】バネ材で三角体のクリップ体１の一角が分離しそのクリップ体１自体の弾発力で双方が所定の開口巾で開閉自在に接合して、プリントａや書類を挟着するための挟口部２からなり、これらの挟口部２の双方の接合辺に線材金属製で挟口部２を開成と閉成手段につかわれるレバー体４．４’を折畳み自在に遊合係止する対でなる軸支部３．３’を装備するバインタークリップのレバー体４．４’の一部がクリップ体１の軸支部３．３’に隣接して、支点的に接合する支点部５．５’を具備することでレバー体４．４’に付加する操作力を軽減出来るようにする。【選択図】  図２
0003117841.tif 000002
【実用新案登録請求の範囲】
【請求項１】
金属バネ材薄厚材でなる三角体のクリップ体（１）の一角が分離し、そのクリップ体（１）自体の弾発力で双方が所定の開口巾で開閉自在に接合して、プリント（ａ）や書類を挟着するための挟口部（２）からなり、これらの挟口部（２）の双方の接合辺に線材金属製で挟口部（２）を開成と閉成手段に使われるレバー体（４）（４’）を折畳み自在に遊合係止する対でなる軸支部（３）（３’）を整備してなるバインダークリップにおいて、これらのレバー体（４）（４’）の遊合係止する対でなる軸支部（３）（３’）に隣接して設けたクリップ体（１）の面とレバー体（４）（４’）の一部が支点的に接合するための出っ張り形状での支点部（５）（５’）を具備するか或いは、クリップ体（１）の軸支部（３）（３’）に隣接して、その面に切込みによる切り口でのレバー体（４）（４’）の一部が支点的に接合する支点部（５）（５’）を具備して、レバー体（４）（４’）の開いた状態で双方の端子部（４ａ）（４ａ’）を指先で摘んで操作する押し圧（Ａ）をてこ構成作用で軽減可能にしたことを特徴とするバインダークリップ。
【考案の詳細な説明】
【技術分野】
【０００１】本考案は、プリント用紙をとじるための文具用品のバインダークリップに関し、詳しくはバインダークリップを弱い力で操作して、強力な保持力で書類を挟着の出来るバインダークリップの改良に関する。
【背景技術】
【０００２】此の種の従来の技術として、図７．８．９で示すバインダークリップが一般的に知られ、広く使用されている。図９で示すように、金属バネ薄厚材でなる三角体のクリップ体１０１の挟口部２０２は、対でなる挟口部２０２に備えたレバー体４０４、４０４’を図７．８で示すようにクリップ体１０１の双方に分離する一角に設定された双方に対でなるカール状の軸支部３０３．３０３’にさし込まれて係合する線材金属製のレバー体４０４、４０４’を開成状態にすることで、双方のレバー体４０４、４０４’の端子部４０４ａ、４０４ａ’を指先で摘んで図９で示すように矢印Ａ方向に操作力を加えることで、挟口部２０２が弾発力を受けながら開く。【０００３】このようにバインダークリップは通常クリップ体１０１に備えた軸支部３０３．３０３’に適当なかたさで折畳み自在の状態でレバー体４０４、４０４’の双方が保持される。【０００４】利用者が、書類やプリントなどの用紙を綴じるにあたって、用意されたこれらのバインダークリップは図８で示すように双方のレバー体４０４、４０４’を開くことで始めて指先でレバー体４０４、４０４’の端子部４０ａ、４０ａ’に加圧することで図９で示すように、矢印Ａ方向への操作力によって挟口部２を開くが、クリップ体１０１のコの字曲げ部の支点部５０５５０５’を支点としてクリップ体１０１の挟口部２に備えた軸支部３０３、３０３’に係合するレバー体４０４、４０４’の双方の先端が矢印Ｂ方向に向けて所定のプリントａの厚みに応じてクリップ体１０１の弾発力（矢印Ｂ方向と逆方向）を受けながら開くことで、その開いた挟口部２で双方の軸支部３０３、３０３’に強力なクリップ体１０１の弾発力で閉成状態にプリントａが綴じられる。【０００５】そして、綴じれたプリントａが数冊積み重ねて保存される場合などは、開かれたレバー体４０４、４０４’を倒しておくことで、書類の整理がかさばることなく保管出来るなどして使われる。
【考案の開示】
【考案が解決しようとする課題】
【０００６】しかしながら、上記する従来技術でのバインダークリップは同一構造での大小様々なサイズを店頭で自由に選択出来、プリントや書類の綴じる枚数によって数枚のプリント綴じは、保持力の弱い小形サイズで良いが、プリント枚数が多くなり厚さが増加するに従って、保持力の強い挟口部の大きい開きのバインダークリップが使われるが大形になるに従ってクリップ体の弾発力が強くなり、それを開口するに必要なレバー体をはさむ指先への力がかなり強力に要求されるなどの課題がある。【０００７】即ち、この種のバインダークリップは、指先で摘むためのレバー体は金属製の線材のため指先に集中的に荷重がかかることで苦痛を感じ、大量に書類をとじる作業などでは、かなり指先に支障をきたすなどの課題がある。【０００８】このように、大形で保持力の強いクリップ体になれば相応の弾発力の強さが要求されることで、これらの強い弾発力に対応出来る力が小さくてすむバインダークリップが強く要望されていた。
【課題を解決するための手段】
【０００９】この考案はかかる課題を解決するために、請求項１での考案は図１〜６で述べるように、金属バネ材薄厚板でなる三角体のクリップ体１の一角が分離し、そのクリップ体１自体の弾発力で双方が所定の開口巾で開閉自在に接合している。【００１０】そしてこれらのクリップ体１の一角の分離接合自在な挟口部２の双方の接合辺に線材金属製で挟口部２を開成と閉成手段に使われるレバー体４，４’が折畳み自在に遊合係止する対でなる軸支部３，３’を装備している。【００１１】これらの軸支部３，３’で遊合係止する対でなるレバー体４，４’の軸支部３、３’に隣接してクリップ体１の面とそのレバー体４，４’の一部が支点的に接合するため出っ張り形状での支点部５，５’をいずれかに設ける。【００１２】また、或いはクリップ体１の軸支部３，３’に隣接するその面の一部に切り口を設けて出っ張りの形状のないレバー体４、４’の一部が支点的に接合てこ作用の支点部５，５’を設ける。【００１３】このようにレバー体４、４’の開いた状態でこれらの双方の端子部４ａ、４ａ’を指先で摘んで操作する押し圧Ａをてこ構成作用で軽減にすることを可能にしている。
【考案の効果】
【００１４】本考案は上述の通り構成作用するので次の優れた効果を奏する。即ち、第１実施例で図１，２，３で述べるようにバネ性のクリップ体１の挟口部２の持つ軸支部３、３’に遊合係止するレバー体４、４’の力点に隣接して支点部５、５’を持つレバー体は支点より最長部の端子部４ａ、４ａ’に押し圧Ａ出来るので強力に挟着するプリントａも弱い押し圧で操作の出来るバインダークリップを提供出来る。【００１５】また、図４で述べるように他の実施例として軸支部３，３’に隣接してクリップ体１の面に設けた支点部５，５’を持つことで弱い押し圧Ａで操作の出来るバインダークリップを提供出来る。【００１６】また、次に図５、６で述べるに他の実施例としてクリップ体１の面の一部に切り口での支点部５、５’を持つことで上記する効果と同等のバインタークリップを提供出来る。
即ち力学的に力点の近くに支点を設け支点より遠い個所に荷重（押し圧Ａ）をかけることである。
【考案を実施するための最良の形態】
【００１７】以下図示の実施例に基づいて更に詳細に説明する。即ち図１は本考案での全体構成での斜視図で、２部品からなる構成で、三角体で一角が両開きの自在なプリントａを挟着保持するための挟口部２で成り、これらのクリップ体１は金属バネ材薄厚板で弾発力で挟口部２は常時閉成している。【００１８】これらの三角体の一角の分離での接合自在の挟口部２の接合辺はカール状で線材が遊合係止する対でなる軸支部３、３’が一体化したもので、この挟口部２を開くための線材金属製のレバー体４、４’が折畳み（回動）自在にカール状挟口部２にさし込まれて装備される。【００１９】このように２部品即ち、クリップ体１とレバー体４、４’とからなるバインダークリップのレバー体４、４’はクリップ体１のカール状にさし込まれて遊合係止し、折畳みの自在する軸支部３、３’に極力近接する一部が出っ張り形状の支点部５、５’が支点の接合をクリップ体１の面上で構成作用する。【００２０】次に図２は本考案でのレバー体４、４’を開成体にし、クリップ体１の面上で出っ張り形状をもつレバー体４、４’が操作時に矢印Ａ方向にレバー体４、４’の端子部を指先で摘んで押し圧Ａすることで、クリップ体１の面上で支点部５、５’が支点としてクリップ体１の挟口部２に設けた軸支部３、３’が力点として作用し、挟口部２がてこ式に強い挟口部２を弱い力で開口する。【００２１】図３が、クリップ体１の弾発力（矢印Ｂ方向と逆方向）にて強力に閉成している挟口部２がクリップ体１の面上での支点の作用で軸支部３、３’の矢印Ｂ方向に向けて所定の巾だけ開口し、プリントａなどの書類が挟着され、クリップ体１の弾発力で保持出来る。【００２２】次に第一実施例での上記する支点部５，５’をクリップ体１の面上に出っ張り形状をもつことで、支点的作用を構成している。此の場合、レバー体４．４’の出っ張り形状は不必要とされることで双方でのいずれかに支点的作用の構成があればよい。【００２３】次に図５．６においても上記するレバー体４．４’の支点的役割をクリップ体１の平面上の軸支部３．３’の辺部を切込んで、クリップ体１に設けたこれらのカール状の軸支部３．３’を内面に対向して装着することで、切り口の辺が支点部５．５’としての構成作用することになり、てこの原理に基づいて、クリップ体１の書類を挟着する軸支部３．３’を力点として、それに隣接する支点部５．５’を設定することで、操作力の押し圧Ａを低減可能にしている。【００２４】このようにして従来技術でのバインダークリップの構成、作用は図７．８．９で示すように、クリップ体１０１の挟口部２０２の開口して書類を挟着するための操作は、軸支部３０３．３０３’（力点相当）より離れたクリップ体１０１のコの字曲げ部のエッジを支点部５０５．５０５’（支点相当）に隣接する構成で、操作する押し圧Ａは大きな操作力を必要とすることがわかる。【００２５】この種の広く使われるバインダークリップでの特大サイズでの操作力は強力な書類の保持力を得るためにかなりの指先の負担が係るが、本考案での支点の設定によって、数分の１に指先の負担を軽減する実力値が立証される。
【図面の簡単な説明】
【００２６】
【図１】本考案に係わる実施例でのレバーを倒した状態での全体斜視図である。
【図２】本考案に係わる実施例でのレバーを開いた状態での全体斜視図である。
【図３】本考案に係わる実施例での書類挟着での全体斜視図である。
【図４】本考案に係わる他の実施例での全体斜視図である。
【図５】本考案に係わる他の実施例での全体斜視図である。
【図６】本考案に係わる図５での書類挟着での全体斜視図である。
【図７】従来技術でのレバー体を倒した状態での全体斜視図である。
【図８】従来技術でのレバー体を開成状態での全体斜視図である。
【図９】従来技術での書類挟着での全体斜視図である。
【符合の説明】
【００２７】ａ                              プリント
Ａ                              押し圧
１．１０１                      クリップ体
２．２０２                      挟口部
３．３’．３０３．３０３’      軸支部
４．４’．４０４．４０４’      レバー体
５．５．’５０５．５０５’      支点部
４ａ．４ａ’．４０ａ．４０ａ’  端子部
【図１】
0003117841.tif 000003
【図２】
0003117841.tif 000004
【図３】
0003117841.tif 000005
【図４】
0003117841.tif 000006
【図５】
0003117841.tif 000007
【図６】
0003117841.tif 000008
【図７】
0003117841.tif 000009
【図８】
0003117841.tif 000010
【図９】
0003117841.tif 000011